(57)【要約】【課題】  内容器体および外ケースを組合せて形成される分解式インクカートリッジ構造を提供する。【解決手段】  内容器体２０および外ケース３０の二つに分離することができる構造で構成し、内容器体２０上にインクタンク１０、ジェットヘッド１３および通気孔などインクカートリッジ１に元来ある構造を設ける。外ケース３０は、認識チップ１４およびプリンター（printer）に組合わせる掛合部１５などを具備し、内容器体２０と外ケース３０との間に互いに対応した組合せ部２１，３２を設置し、容易にインクカートリッジが組立てられ、プリンター中に設置して使用できるようにする。【選択図】  図３
0003103039.tif 000002
【実用新案登録請求の範囲】
【請求項１】
インクカートリッジが内容器体および外ケースの二つに分離できる構造で構成された分解式インクカートリッジ構造であって、
前記内容器体上にインクタンク、ジェットヘッドおよび通気孔の構造が設けられ、前記インクタンク上をプラスチック材質の薄片で覆って前記インクタンクの開放側の外層面上を密封し、前記インクタンクを密封タンクに形成し、前記内容器体と前記外ケースが互いに接触する面の間に対応する組合せ部を設け、前記外ケースはＵ形構造体であり、そのＵ形の内部空間には前記内容器体がちょうど収まり、組合せて形成した前記インクカートリッジは元来のインクカートリッジと同じサイズとなり、前記外ケース上には認識チップおよびプリンターと組み合わさる掛合部の構造が設けられ、前記外ケースと前記内容器体が互いに組み合わさる接触面の間に対応する前記組合せ部が設置され、
上記構造により、前記内容器体および前記外ケースからなるインクカートリッジ結合体を正常使用に提供し、インクが無くなると、前記内容器体と前記外ケースとを分離し、インクが無くなった前記内容器体を捨てて前記外ケースを残し、新しい内容器体と取換えて再利用することを特徴とする分解式インクカートリッジ構造。
【請求項２】
前記内容器体上の前記組合せ部は凹槽であり、前記外ケース上の前記組合せ部は突起であり、前記内容器体および前記外ケースを前記インクカートリッジの結合体に組立てることができることを特徴とする請求項１記載の分解式インクカートリッジ構造。
【考案の詳細な説明】
【技術分野】
【０００１】
本考案は分解式インクカートリッジ構造に関し、特に、内容器体および外ケースを組合せてインクカートリッジ構造を形成し、インクが無くなった後、内容器体を取り外して捨て、認識チップを具える外ケースを残して、新しい内容器体と取替えて再利用することにより、消耗材を節減してコストを下げ、環境保護に役立たせる分解式インクカートリッジ構造に関する。
【背景技術】
【０００２】
近時、プリンター（printer）が普及するにつれて、インクカートリッジは大量の消耗材と見なされるようになった。
これらインクカートリッジは、例えば、特許文献１等に開示されているように、基本的にインクおよび包装用カートリッジという２つの主要部分を含み、現在市販されている従来のインクカートリッジは一体式構造であり、そのカートリッジは複数個の基本構造を具えた一体式構造であり、インクを入れるインクタンクと、インクを噴射するジェットヘッド、使用前に開けてインクタンク内の圧力を平衡にする通気孔と、インクカートリッジを認識する認識チップと、プリンター（printer）内に設置して、対応する掛合部に合わせて固定する外ケース上にある一組の掛合部とを含む構成である。
認識チップあるいはジェットヘッド以外の部分は、そのほとんどがプラスチック材料により成型製作され、そして、インクが無くなった後は、全体の古いインクカートリッジ全体を廃棄し、新しいインクカートリッジと取換える。
しかし、廃棄する使用済のインクカートリッジと新しいインクカートリッジには再利用できる構造体が数多くあったが、特に、インクカートリッジの全てに認識チップがあるため、従来のようにインクカートリッジを使い切って廃棄すると、カートリッジの材料全てが浪費された。そして、消耗材が増大し、環境保護の要求に合わずにコストが相対的に増大して（特に、認識チップが高コスト。）産品の競争力が下がった。そのため従来のインクカートリッジの製作および使用には、材料またはコストの節減が必要であった。本考案はこの需要に対して設計されたものである。
【特許文献１】特開平１０−４４４６３号公報
【考案の開示】
【考案が解決しようとする課題】
【０００３】
本考案の課題は、上記の問題点に鑑みてなされたもので、内容器体および外ケースを組合せて形成する分解式インクカートリッジ構造において、消耗材を節減してコストを下げ、環境保護に役立たせる分解式インクカートリッジ構造を提供することにある。 
【課題を解決するための手段】
【０００４】
上で述べた課題を解決するために、請求項１の考案は、インクカートリッジが内容器体および外ケースの二つに分離できる構造で構成された分解式インクカートリッジ構造であって、前記内容器体上にインクタンク、ジェットヘッドおよび通気孔の構造が設けられ、前記インクタンク上をプラスチック材質の薄片で覆って前記インクタンクの開放側の外層面上を密封し、前記インクタンクを密封タンクに形成し、前記内容器体と前記外ケースが互いに接触する面の間に対応する組合せ部を設け、前記外ケースはＵ形構造体であり、そのＵ形の内部空間には前記内容器体がちょうど収まり、組合せて形成した前記インクカートリッジは元来のインクカートリッジと同じサイズとなり、前記外ケース上には認識チップおよびプリンターと組み合わさる掛合部の構造が設けられ、前記外ケースと前記内容器体が互いに組み合わさる接触面の間に対応する前記組合せ部が設置され、上記構造により、前記内容器体および前記外ケースからなるインクカートリッジ結合体を正常使用に提供し、インクが無くなると、前記内容器体と前記外ケースとを分離し、インクが無くなった前記内容器体を捨てて前記外ケースを残し、新しい内容器体と取換えて再利用することを特徴とする分解式インクカートリッジ構造である。
請求項２の考案は、前記内容器体上の前記組合せ部は凹槽であり、前記外ケース上の前記組合せ部は突起であり、前記内容器体および前記外ケースを前記インクカートリッジの結合体に組立てることができることを特徴とする請求項１記載の分解式インクカートリッジ構造である。
【０００５】
したがって、内容器体および外ケースの二つに分離できる構造で構成し、内容器体上にインクタンク、ジェットヘッドおよび通気孔などインクカートリッジに元来ある構造を設ける。外ケースは認識チップおよびプリンター（printer）に組合わせる掛合部などを具備し、内容器体と外ケースの間に互いに対応した組合せ部を設置し、容易にインクカートリッジが組立てられ、プリンター中に設置して使用できる。
【考案の効果】
【０００６】
このような構造により、本考案の分解式インクカートリッジ構造は、インクが無くなると、内容器体を簡単に取り外して捨てて外ケースだけを残し、新しい内容器体と取換えて再利用する。そして消耗材を節減してコストを下げて競争力を高める。さらに消耗材が減るために環境保護にも役立つ。
【考案を実施するための最良の形態】
【０００７】
本考案を更に明らかにするために、好適な実施例を次に記し、図面と合わせて、詳しい説明を行う。
本考案の実施例の分解式インクカートリッジ１は、図１から図３に示すように、その構造上、従来のインクカートリッジと類似した基本構造を有し、それはインクを入れるインクタンク１０と、インクタンク１０中に設けられた形状が異なる隔板１１およびインク流出部１２を含む。図３に示すように、インク流出部１２には一般にフィルターが設けられ（図示せず）、ジェットヘッド１３からインクを出し、通気孔（図示せず）を使用前に開いてインクタンク内の圧力を平衡にする。また通気孔は一般にシール紙で覆われて封止され、使用前にシール紙を剥して通気孔を開くとともに、これによりインクカートリッジが使用されたものかどうかを確かめることもできる。認識チップ１４はインクカートリッジを認識し（例えば、メーカ純正品かどうかを認識する。）、外カバー上に掛合部１５を設けて、プリンター（printer）中に設置する際、プリンター（printer）中の対応した掛合部と組み合わせて固定し、認識チップ１４及びジェットヘッド１３以外の構造をプラスチック成型により製作する。
【０００８】
本考案は主に従来のインクカートリッジの一体式構造に対して改良を加え、インクカートリッジ１を内容器体２０および外ケース３０の二つに分離できる構造で構成し、内容器体２０上にインクタンク１０、ジェットヘッド１３および通気孔など、インクカートリッジに元来ある構造を設け、インクタンク１０上をプラスチック材質の薄片１６で覆って開放側の外層面上を密封する。図３に示すように、側にあるプラスチック材質のカバー体を取換えても、インクタンク１０は密封タンクを形成し、当該密封に用いるプラスチック材料の薄片１６の厚さは内容器体２０と外ケース３０との間の組合せ状態に影響を与えない。外ケース３０はＵ形の構造体であり、その内部空間３１には内容器体２０がちょうど収まり、内容器体２０と外ケース３０とを組合せて形成されたインクカートリッジ１は元来のインクカートリッジと同じサイズとなる。外ケース３０上には認識チップ１４およびプリンター（printer）と組み合わせる掛合部１５など、インクカートリッジに元来ある構造がある。内容器体２０と外ケース３０とが互いに組合さる接触面の間には、対応する組合せ部２１および組合せ部３２を設置し、組合せ部２１は、例えば凹槽に設計して組合せ部３２を対応する突起に設計する。図２および図３に示すように、内容器体２０および外ケース３０はインクカートリッジ１の結合体に容易に組立てることができる。組立時、組合せ部２１の凹槽上を覆うプラスチック材質の薄片１６は自動的に破れる。また分解時、内容器体２０と外ケース３０との間にある組合せ境界線４０に力を加えると簡単に分解することができる。
【０００９】
使用時、内容器体２０および外ケース３０からなるインクカートリッジ１の結合体は、一般のインクカートリッジと同じサイズであるため、一般のインクカートリッジと同様の方法によりプリンター（printer）中へ設置して使用することができる。インクが無くなった後、内容器体２０は簡単に取り外して外ケース３０と分離することができる。そしてインクが無くなった内容器体２０は捨て、認識チップ１４および掛合部１５の外ケース３０は残して、インクが入った新しい内容器体２０と取換えて再利用する。このように、外ケース３０は捨てずに再利用されるため、効果的に消耗材が節減される。また外ケース３０上に認識チップ１４が設けられているため、少なくとも認識チップ１４のコストを下げ、相対的に産品の競争力が高まる。さらに、外ケース３０の消耗量が減るため環境保護にも役立つ。
【図面の簡単な説明】
【００１０】
【図１】本考案の一実施例を示す斜視図である。
【図２】図１の分解斜視図である。
【図３】図２の内容器体を他方向から見た斜視図である。
【符号の説明】
【００１１】
１…インクカートリッジ、１０…インクタンク、１１…隔板、１２…インク流出部、
１３…ジェットヘッド、１４…認識チップ、１５…掛合部、１６…薄片、２０…内容器体、
２１…組合せ部、３０…外ケース、３１…内部空間、３２…組合せ部、４０…組合せ境界線
【図１】
0003103039.tif 000003
【図２】
0003103039.tif 000004
【図３】
0003103039.tif 000005